(57)【要約】【課題】空気分散板に流動媒体を抜き出す開口部などが設置された場所においても、流動層内の流動媒体を正常に流動化させる。【解決手段】炉底に設けられた空気分散板６に複数の空気ノズル４を配設し、これら空気ノズル４からの空気によって流動層５内の流動媒体３を流動化する流動層ボイラにおいて、複数の空気ノズル４の一部は、ノズルヘッド９ａを装着するスタンドパイプ９ｂに枝管９ｅを取り付け、その枝管９ｅの先端にもノズルヘッド９ａ’を取付けている。【選択図】　　　　図１
2004012024.tif 000002
【特許請求の範囲】
【請求項１】
炉底に設けられた空気分散板に複数の空気ノズルを配設し、これら空気ノズルからの空気によって流動媒体を流動化する流動層ボイラにおいて、
前記複数の空気ノズルに空気を送り込む空気供給管に先端部に空気ノズルを有する枝管を設けたことを特徴とする流動層ボイラ。
【請求項２】
前記枝管は下端が前記空気分散板に固定された揺れ止め部材に支持されていることを特徴とする請求項１記載の流動層ボイラ。
【請求項３】
前記枝管が取付けられたスタンドパイプは前記空気分散板に差し込まれ、前記空気分散板の上側と下側とが溶接固定されていることを特長とする請求項１または２に記載の流動層ボイラ。
【請求項４】
前記枝管が取付けられた空気ノズルは、前記空気分散板に形成された流動媒体抜き出し用の開口部を囲む部分の近傍に配置されていることを特徴とする請求項１ないし３のいずれか１項に記載の流動層ボイラ。
【請求項５】
前記枝管が取付けられた空気ノズルは前記開口部側に位置するように配置されていることを特徴とする請求項４に記載の流動層ボイラ。
【発明の詳細な説明】
【０００１】
【発明の属する技術分野】
本発明は流動層ボイラに関し、特に流動媒体の流動化のために設けられる空気分散板の空気ノズルに関する。
【０００２】
【従来の技術】
石灰石と石炭を供給して燃焼を行う流動層ボイラの一例を図４ないし図６により説明する。図４は従来の流動層ボイラの一例を模式的に示す側面図、図５は従来の流動層ボイラにおける空気分散板の一部を示す平面図、図６は図５の空気分散板に配置された空気ノズルを示す縦断面である。流動層ボイラは、空気分散板６により上下に仕切られ、下部を空気室１とし、上部を流動層室５とし、空気室１に供給された空気２を、空気分散板６に所定の間隔を置いて立設された空気ノズル４から流動層室５内の流動媒体３に噴射して、流動媒体３を流動化させるようになっている。
【０００３】
空気分散板６は、図５に示すように、炉底部に所定の間隔をおいて配置された複数の水壁管７とこれら水壁管７間を塞ぐように配置されたメンブレンバー８とで構成されている。空気ノズル４は、図６に示すように、下端をメンブレンバー８に立設したスタンドパイプ（空気供給管）９ｂの上端部にノズルヘッド９ａを装着することにより構成されている。なお、９ｃは上側溶接部である。流動媒体３の流動化には、流動層３全域に均一に空気を供給する必要があるので、空気ノズル４は空気分散板３全面にできるだけ均一に多数配置する必要がある。
【０００４】
【発明が解決しようとする課題】
一方、図５に示すように、空気分散板６には、例えば流動媒体３を抜き出すための開口部１０が設けられるが、この開口部１０を挟むように位置する水壁管７ａ，７ｂは開口部１０を避けるように湾曲させる必要がある。そのためこれら水壁管７ａ，７ｂとそれらの外側に位置する水壁管７ｃ，７ｄとの間は狭くなってしまい、その間のメンブレンバー８には空気ノズル４を設置することができなくなってしまう。
【０００５】
また、メンブレンバー８は広くても、開口部１０に近接する部分も空気ノズル４を設置することができない。そのため、図５に示すようような場合には、開口部１０を囲む部分には８個の空気ノズルが設置できなくなる。そのため、開口部１０の近傍における流動媒体３は正常に流動できないという不具合が生じてしまう。
【０００６】
本発明はこのような従来技術の実情に鑑みてなされたもので、その目的は、空気分散板に流動媒体を抜き出す開口部などが設置された場所においても、流動層内の流動媒体を正常に流動化させることができる流動層ボイラを提供することにある。
【０００７】
【課題を解決するための手段】
前記目的を達成するため、第１の手段は、炉底に設けられた空気分散板に複数の空気ノズルを配設し、これら空気ノズルからの空気によって流動媒体を流動化する流動層ボイラにおいて、前記複数の空気ノズルに空気を送り込む空気供給管に先端部に空気ノズルを有する枝管を設けたことを特徴とする。これにより、空気分散板の流動層形成側の部分の前記空気供給管を配置できない個所にも、前記空気供給管から分岐した枝管として空気ノズルを配置することができる。
【０００８】
第２の手段は、第１の手段において、前記枝管が下端が前記空気分散板に固定された揺れ止め部材に支持されていることを特徴とする。これにより枝管を強固に支持することができる。
【０００９】
第３の手段は、第１または第２の手段において、前記枝管が取付けられたスタンドパイプは前記空気分散板に差し込まれ、前記空気分散板の上側と下側とが溶接固定されていることを特徴としており、これによってスタンドパイプの溶接強度を向上させることができる。
【００１０】
第４の手段は、第１ないし第３の手段において、前記空気分散板に形成された流動媒体抜き出し用の開口部を囲む部分の近傍に配置されていることを特徴とする。
【００１１】
第５の手段は、第４の手段において、前記枝管が取付けられた空気ノズルは前記開口部側に位置するように配置されていることを特徴とする。
【００１２】
これら第４及び第５の手段によれば、従来空気ノズルを取り付けることができなかった流動媒体抜き出し用の開口部近傍にも空気ノズルを取り付けることが可能となり、前記開口部の近傍においても流動媒体を正常に流動させることができる。
【００１３】
【発明の実施の形態】
以下、図面を参照し、本発明の実施形態について説明する。なお、以下の実施の形態において、上述した従来例の流動層ボイラと同等とみなせる各部には同一参照番号を付し、重複する説明は適宜省略する。図１は本発明の実施の形態に係る流動層ボイラにおける空気分散板の一部を示す平面図、図２は図１の空気分散板に配置された分散型空気ノズルを示す縦断面、図３は図２のＩＩＩ−ＩＩＩ線に沿って切断して示す図である。
【００１４】
図１に示すように、流動媒体３を抜き出すための開口部１０を取り囲むように位置する８個の空気ノズル４ａは、それら空気ノズル４の開口部１０に対して更に外側に位置する空気ノズル４から枝分かれした形で設けられている。すなわち、図１において、開口部１０近傍に位置し、かつ開口部１０に対してそれぞれ左右に位置する空気ノズル４であって、水壁管７ａ，７ｂ間のメンブレンバー８に立設された空気ノズル４、水壁管７ａ，７ｃ間のメンブレンバー８に立設された空気ノズル４、水壁管７ｂ，７ｄ間のメンブレンバー８に立設された空気ノズル４の６個の空気ノズル４と、水壁管７ｃ，７ｅ間のメンブレンバー８に立設された空気ノズル４、水壁管７ａ，７ｃ間のメンブレンバー８に立設された空気ノズル４、水壁管７ｄ，７ｆ間のメンブレンバー８に立設され空気ノズル４の２個の空気ノズル４の合計８つの空気ノズル４に、枝分かれした空気ノズル４ａが設けられている。
【００１５】
すなわち、図２および３に示すように、それらの８つの空気ノズル４の各スタンドパイプ９ｂの中間部には、ほぼＬ字状に曲げられた枝管９ｅの一端が先端をスタンドパイプ９の先端と同様に上方に向くようにそれぞれ接続され、それら各枝管９ｅの上方先端部にノズルヘッド９ａ’が装着されている。ノズルヘッド９ａ’も、ノズルヘッド９ａと同様に、空気室１より供給される空気を噴出するための噴出口が円周方向に複数開口している。９ｄは下側溶接部で、スタンドパイプ９ｂの下端部をエンブレンバー８に溶接固定した箇所である。これによりスタンドパイプ９ｂの取付け部の溶接強度を向上させている。１１は枝管９ｅの揺れを防止するための揺れ止め金具で、上端が枝管９ｅの水平部に、そして下端がメンブレンバー８にそれぞれ溶接固定されている。これにより空気ノズル４を分岐型としたことにより発生する、スタンドパイプ取付け部の強度上の問題を解消している。なお、図示していないが、スタンドパイプ９ｂと枝管９ｅの分岐部にダンパを設けて枝管９ｅに流れる空気量を調整できるようしてもよい。
【００１６】
このように、本来空気ノズルを設置すべき位置が、開口部１０の近傍になっても、その外側に位置する空気ノズル４のスタンドパイプ９ｂに枝管９ｅを接続し、その枝管９ｅの先端側を開口部１０の近傍に位置させ、その先端にノズルヘッド９ａ’を設けることにより、開口部１０の近傍にも空気ノズルを配置することが可能となり、これによって空気ノズルの数量を増加させることができ、流動層５内の流動媒体３を正常に流動させることができる。
【００１７】
【発明の効果】
以上のように、本発明によれば、複数の空気ノズルに空気を送り込む空気供給管に先端部に空気ノズルを有する枝管を設けたので、空気分散板に流動層内の流動媒体を抜き出すための開口部など、従来設置不可能な場所にも空気ノズルを配設することができ、これにより空気ノズルの数量を増加させ、流動媒体を正常に流動させることができる。
【図面の簡単な説明】
【図１】本発明の実施の形態に係る流動層ボイラにおける空気分散板の一部を示す平面図である。
【図２】図１の空気分散板に配置された分散型空気ノズルを示す縦断面である。
【図３】図２のＩＩＩ−ＩＩＩ線に沿って切断して示す図である。
【図４】従来の流動層ボイラの一例を模式的に示す側面図である。
【図５】従来の流動層ボイラにおける空気分散板の一部を示す平面図である。
【図６】図５の空気分散板に配置された空気ノズルを示す縦断面である。
【符号の説明】
１　空気室
２　空気
３　流動媒体
４，４ａ　空気ノズル
５　流動室
６　空気分散板
７　水壁管
８　メンブレンバー
９ａ，９ａ’　ノズルヘッド
９ｂ　スタンドパイプ（空気供給管）
９ｃ　上側溶接部
９ｄ　下側溶接部
９ｅ　枝管
１０　開口部
１１　揺れ止め金具
【図１】
2004012024.tif 000003
【図２】
2004012024.tif 000004
【図３】
2004012024.tif 000005
【図４】
2004012024.tif 000006
【図５】
2004012024.tif 000007
【図６】
2004012024.tif 000008